【手続補正書】
【提出日】平成21年1月28日(2009.1.28)
【手続補正１】
【補正対象書類名】特許請求の範囲
【補正対象項目名】全文
【補正方法】変更
【補正の内容】
【特許請求の範囲】
【請求項１】
左右の視差を考慮した第１視点画像及び第２視点画像の内、前記第１視点画像を実像として提示する実像提示手段を用いて立体視をさせるための画像表示システムであって、
前記第２視点画像を虚像として提示する虚像提示手段を備え、
前記実像提示手段により前記第１視点画像を左右の一方の眼球にて閲覧させた状態で、前記虚像提示手段により前記第２視点画像を他方の眼球にて閲覧させることにより立体視させることを特徴とする画像表示システム。
【請求項２】
前記実像提示手段は印刷物であることを特徴とする請求項１に記載の画像表示システム。
【請求項３】
前記実像提示手段はディスプレイ装置であることを特徴とする請求項１に記載の画像表示システム。
【請求項４】
撮像手段により、前記第２視点画像の識別情報に関するコード画像を撮像し、
前記虚像提示手段は、前記撮像手段により撮像された前記コード画像により指し示された識別情報に基づいて、前記第２視点画像を記録した記憶手段から前記第２視点画像を抽出し、抽出された第２視点画像を虚像として提示することを特徴とする請求項１〜３のいずれか１つに記載の画像表示システム。
【請求項５】
撮像手段により、前記第１視点画像と、前記第１視点画像と前記第２視点画像との差分を符号化した差分符号化データを含むデータをコード化したコード画像とを撮像し、
前記虚像提示手段は、前記撮像手段により撮像された前記第１視点画像と前記コード画像とから前記第２視点画像を生成して虚像として提示することを特徴とする請求項１〜３のいずれか１つに記載の画像表示システム。
【請求項６】
撮像手段により、前記第１視点画像と、前記第１視点画像において視差を利用して異なる奥行き位置に見えるようにする部分の位置情報を符号化した位置符号化データを含むデータをコード化したコード画像とを撮像し、
前記虚像提示手段は、前記撮像手段により撮像された前記第１視点画像と前記コード画像とから前記第２視点画像を生成して虚像として提示することを特徴とする請求項１〜３
のいずれか１つに記載の画像表示システム。
【請求項７】
前記実像提示手段により提示する前記第１視点画像の表示データ及び前記虚像提示手段により提示する前記第２視点画像の表示データの少なくともいずれか一方に射影変換を施す表示データ変形手段をさらに備えたことを特徴とする請求項１〜６のいずれか１つに記載の画像表示システム。
【請求項８】
前記虚像提示手段と前記実像提示手段との相対位置を特定する相対位置特定手段をさらに備え、前記相対位置特定手段により特定された相対位置に基づいて、前記実像提示手段により提示する前記第１視点画像の表示データ及び前記虚像提示手段により提示する前記第２視点画像の表示データの少なくともいずれか一方に射影変換を施すことを特徴とする請求項７に記載の画像表示システム。
【請求項９】
前記相対位置特定手段が、撮像手段を有することを特徴とする請求項８に記載の画像表示システム。
【請求項１０】
前記撮像手段により、前記実像提示手段により提示する前記第１視点画像の表示データ及び前記虚像提示手段により提示する前記第２視点画像の表示データの少なくともいずれか一方に射影変換を施すためのマーカを撮像し、
前記虚像提示手段は、前記撮像手段により撮像された前記マーカに基づいて、前記実像提示手段により提示する前記第１視点画像の表示データ及び前記虚像提示手段により提示する前記第２視点画像の表示データの少なくともいずれか一方に射影変換を施すことを特徴とする請求項９に記載の画像表示システム。
【請求項１１】
前記実像提示手段により提示する前記第１視点画像の表示データ又は前記虚像提示手段により提示する前記第２視点画像の表示データに射影変換を施すために用いる平面射影行列は、
撮影画像上の４点の座標Ｐｉ（ｉ＝１，２，３，４）を取得するとともに、前記撮影画像上の４点の座標Ｐｉ（ｉ＝１，２，３，４）に対応する前記実像提示手段に提示された４点の本来の座標Ｑｉ（ｉ＝１，２，３，４）を取得し、
【数１】
2007086716.tif 000001
のようにおくことにより成り立つ式
【数２】
2007086716.tif 000002
を用いて、
Ｐ1とＱ1、Ｐ2とＱ2、Ｐ3とＱ3、Ｐ4とＱ4をそれぞれ代入してh11〜h33を求めることにより算出することを特徴とする請求項１０に記載の画像表示システム。
【請求項１２】
前記コード画像が、前記マーカとして機能することを特徴とする請求項１０又は１１に記載の画像表示システム。
【請求項１３】
前記コード画像は、前記実像として提示される前記第１視点画像に対する前記コード画像の相対位置及び相対サイズに関するデータを含むデータをコード化したことを特徴とする請求項１２に記載の画像表示システム。
【請求項１４】
前記実像提示手段に提示された前記第１視点画像の表示データ及び前記虚像提示手段に提示された前記第２視点画像の表示データの少なくともいずれか一方に使用者の操作に従って射影変換を施し、この表示データの状態を使用者に選択させる表示データ状態選択手段をさらに備えたことを特徴とする請求項１〜１３のいずれか１つに記載の画像表示システム。
【請求項１５】
前記表示データ状態選択手段による使用者の選択に基づく情報と、前記相対位置とに基づいて、
前記実像提示手段により提示する前記第１視点画像の表示データ及び前記虚像提示手段により提示する前記第２視点画像の表示データの少なくともいずれか一方に射影変換を施す表示データ自動変形手段をさらに備えたことを特徴とする請求項１４に記載の画像表示システム。
【請求項１６】
前記実像提示手段は、位置に応じた複数の前記第１視点画像を実像として提示し、
前記虚像提示手段は、
前記実像提示手段により提示された前記第１視点画像に対応する前記第２視点画像を虚像として提示することを特徴とする請求項１〜１５のいずれか１つに記載の画像表示システム。
【請求項１７】
前記実像提示手段は、前記虚像提示手段と前記実像提示手段との位置関係に応じて前記第１視点画像を実像として提示し、
前記虚像提示手段は、
前記虚像提示手段と前記実像提示手段との位置関係に応じた、前記第１視点画像に対応する前記第２視点画像を虚像として提示することを特徴とする請求項１〜１５のいずれか１つに記載の画像表示システム。
【請求項１８】
前記虚像提示手段は、
頭部装着型の単眼表示手段であることを特徴とする請求項１〜１７のいずれか１つに記載の画像表示システム。
【請求項１９】
左右の視差を考慮した第１視点画像及び第２視点画像を用いて立体視をさせるための画像表示方法であって、
前記第１視点画像を実像として提示する実像提示手段と、前記第２視点画像を虚像として提示する虚像提示手段とを用いて、
前記実像提示手段により前記第１視点画像を左右の一方の眼球に提示し、前記虚像提示手段により前記第２視点画像を他方の眼球に提示することを特徴とする画像表示方法。
【請求項２０】
画像に添付したコード画像に前記画像と前記コード画像との相対位置及び相対サイズに関する情報を含ませるように、前記情報を符号化して前記コード画像を生成することを特徴とする符号化方法。
【手続補正２】
【補正対象書類名】明細書
【補正対象項目名】発明の名称
【補正方法】変更
【補正の内容】
【発明の名称】画像表示システム、画像表示方法及び符号化方法
【手続補正３】
【補正対象書類名】明細書
【補正対象項目名】０００１
【補正方法】変更
【補正の内容】
【０００１】
２次元の画像を用いて立体視をさせるための画像表示システム、画像表示方法及び符号化方法に関する。
【手続補正４】
【補正対象書類名】明細書
【補正対象項目名】０００４
【補正方法】変更
【補正の内容】
【０００４】
本発明は、上記問題点を解決するためになされたものであり、その目的は、片方の眼で外界を見ながら、柔軟に立体視することを可能にするための画像表示システム、画像表示方法及び符号化方法を提供することにある。
【手続補正５】
【補正対象書類名】明細書
【補正対象項目名】００２５
【補正方法】削除
【補正の内容】
【手続補正６】
【補正対象書類名】明細書
【補正対象項目名】００２６
【補正方法】削除
【補正の内容】
【手続補正７】
【補正対象書類名】明細書
【補正対象項目名】００２７
【補正方法】削除
【補正の内容】
【手続補正８】
【補正対象書類名】明細書
【補正対象項目名】００４５
【補正方法】変更
【補正の内容】
【００４５】
本発明によれば、左右の視差を考慮した第１視点画像及び第２視点画像の内、前記第１視点画像と、前記第２視点画像の所在場所を指し示すコード画像を印刷した立体表示用印刷物を提供できる。これにより、立体表示用印刷物に印刷された第１視点画像と、コード画像に基づいて取得された第２視点画像とを用いて立体視することが可能となる。
【手続補正９】
【補正対象書類名】明細書
【補正対象項目名】００４６
【補正方法】変更
【補正の内容】
【００４６】
本発明によれば、左右の視差を考慮した第１視点画像及び第２視点画像の内、前記第１視点画像と、前記第１視点画像と前記第２視点画像との差分を符号化した差分符号化データを含むデータをコード化したコード画像とを印刷した立体表示用印刷物を提供できる。これにより、立体表示用印刷物に印刷された第１視点画像と、この第１視点画像と差分符号化データとに基づいて生成された第２視点画像とを用いて立体視することが可能となる。
【手続補正１０】
【補正対象書類名】明細書
【補正対象項目名】００４７
【補正方法】変更
【補正の内容】
【００４７】
本発明によれば、左右の視差を考慮した第１視点画像及び第２視点画像の内、前記第１視点画像と、前記第１視点画像の一部について視差を利用して異なる奥行き位置に見えるようにするため虚像において位置を移動させて表示する部分の位置情報を符号化した位置符号化データを含むデータをコード化したコード画像とを印刷した立体表示用印刷物を提供できる。これにより、立体表示用印刷物に印刷された第１視点画像と、この画像と位置符号化データとに基づいて生成された第２視点画像とを用いて、第１視点画像の一部について異なる奥行き位置に見えるようにすることができる。